(57)【要約】      （修正有）【課題】消費者を惹きつけるための変化する外観をもつデジタル製品を提供する。【解決手段】適合する空洞を有する右基部１８、フリップ式でかつ右基部の適合する空洞にピボット接合された左基部２０、指紋識別装置および施錠装置４を有し、右基部の側面にピボット接合された右上部カバー２２、およびフリップ式でかつ左基部の側面にピボット接合された左上部カバー２４から構成され、外観が変化するハート型構造をもつ。右基部の内装は、処理装置、デコーダー、デジタルアナログ変換機（ＤＡＣ）、再充電式バッテリー、記憶装置、および空洞内に位置するディスプレイモニターを選択的に含む。さらに、内部スピーカー、オーディオ出力ポート、データ送信ポート、再充電ポート、電源スイッチ、およびコントロールパネルは、右基部の外部ケーシング上に選択的に設置される。【選択図】図３
2009239248.tif 000002
【特許請求の範囲】
【請求項１】
適合する空洞を有する第一基部、
フリップ式でかつ前記適合する空洞にピボット接合される第二基部、
施錠装置を有する第一上部カバー、前記第一上部カバーは前記第一基部の側面にピボット接合される、および、
フリップ式でかつ前記第二基部の側面にピボット接合される第二上部カバー、
を含む、外観が変化するハート型構造。
【請求項２】
さらに、
前記第一基部内部の処理装置、
前記第一基部の内部にあり、および一般的に既知の画像およびオーディオフォーマットでファイルを処理するために前記処理装置に連結される、デコーダー、
前記第一基部の内部にあり、およびスピーカーによって音楽を再生するため、または画像をディスプレイに表示するために前記デコーダーに連結される、デジタルアナログ変換機、
前記第一基部の内部にあり、および電力を必要とする部分に電力を提供するために前記処理装置に連結される、再充電式バッテリー、
前記第一基部の内部にあり、およびデジタルデータを保存するために前記処理装置に連結される記憶装置、および、
前記適合する空洞に位置し、および画像を表示するため、およびインターフェースを制御するために前記処理装置に連結される、ディスプレイモニター、
を含む、請求項１に記載の外観が変化するハート型構造。
【請求項３】
さらに、前記第一基部の外部ケーシング上にあり、および前記バッテリーに電力を供給するため前記再充電式バッテリーに接続される再充電ポートから構成され、その電力スイッチは前記第一基部の前記外部ケーシング上に位置し、および前記処理ユニットに連結される内部部分を起動または終了するため前記処理装置に連結される、請求項２に記載の外観が変化するハート型構造。
【請求項４】
さらに、前記第一基部の外部ケーシング上にあり、および操作または指示の入力のために前記処理装置に連結されるコントロールパネルから構成される、請求項２に記載の外観が変化するハート型構造。
【請求項５】
さらに、前記ハート型構造に搭載される指紋識別装置を含む、請求項１に記載の外観が変化するハート型構造。
【発明の詳細な説明】
【技術分野】
【０００１】
本発明は、外観が変わるハート型の付属品の構造、より具体的には指紋識別装置の付属品に関する。
【背景技術】
【０００２】
技術の進歩とともに、様々なデジタル装置、例としてデジタルカメラおよびデジタルウォークマンなどは、日常生活で普通に使用される。使用者は、デジタルファイルによって画像や音楽を保存および検索ができるため、携帯電話、デジタルフレーム、ＰＤＡまたは他のポータブルメディアプレーヤー（ＰＭＰ）などを通して、その画像および音楽を楽しむことができる。ゆえに、フラッシュディスクやメモリーカードなどのデジタル送信メディアもまた、デジタル装置の中で送信データとして使用される。
【０００３】
一般的に、先端技術の外観を重視するため、製品デザインは男性的であり、女性よりむしろ男性消費者の好みを重視するものとなる。さらに製品は頻繁に変わるものではないので、時間の経過とともに消費者にとって魅力に乏しいものとなる。またさらに、市場のデジタル画像および音楽を再生する装置のほとんどは携帯デジタル端末機であり、かつほとんどの製造者は、データのセキュリティを怠り多目的で便利な機能のある装置の開発に重点的に取り組む。
【０００４】
上述により、画像および音楽の再生のための様々な装置は市場で入手できるが、男性および女性の消費者を惹きつける変化する外観を持ち、かつ非権限者が中のデータに接近するのを防ぐことのできる装置は、未だ入手不可能である。
【発明の開示】
【０００５】
本発明の目的は、外観が変わるハート型の付属品の構造を提供することである。構造の外観は変えることができ、男性そして女性の消費者の関心を引くものである。
【０００６】
本発明の他の目的は、指紋識別装置によるデータ保護の構造を提供することであり、およびゆえにデータのセキュリティは強化される。
【０００７】
本発明の他の目的は、デジタル画像、デジタル音楽の再生を含む機能を持ち、および娯楽のためのオルゴールとして機能する、外観が変わるハート型構造を提供することである。
【０００８】
従って、上記に挙げた目的のため、本発明は、：適合する空洞を有する第一（右）基部、フリップ式でかつ右基部の適合する空洞にピボット接合された第二（左）基部、指紋識別装置および施錠装置を有し右基部の側面にピボット接合された右上部カバー、および左基部の側面にフリップ式にピボット接合された左上部カバー：を含む、外観が変わるハート型構造を提供することである。右基部の内装は、処理装置、デコーダー、デジタルアナログコンバータ（ＤＡＣ）、再充電式バッテリー、記憶装置、および空洞内に位置するディスプレイモニターを選択的に含む。さらに、内部スピーカー、オーディオ出力ポート、データ送信ポート、再充電ポート、電源スイッチ、およびコントロールパネルは、右基部の外部ケーシング上に位置する。
【０００９】
上記のハート型構造はまた、物を入れるための装飾品およびインテリアにも使用される。
【発明を実施するための最良の形態】
【００１０】
本発明は好適な実施例および付随する図面により説明される。すべての好適な実施例は例証のために使用されるにすぎないことが理解されるべきである。従って、本発明は好適な実施例以外に様々な実施形態に適用されることも可能である。本発明はいずれの特定の実施例も制限するものではなく、かつ特許請求の範囲およびその同等のものによって解釈されなければならない。さらに、異なる要素の部分は比例的に示されていない。主要要素は大きく図示され、そして主要でない部分は図示されない。ゆえに本発明は明確に説明および理解される。
【００１１】
図１は、形状が変化する前の、本発明によって提供される構造を示す。図１により、構造の中央は、非権限者の使用を防ぐ指紋識別装置２になっている。一実施例ではこの装置は選択が自由である。指紋識別が完了するまでは使用者は構造にいずれの動作を起こすことができない。加えて、施錠装置４の施錠ボルト６が施錠ボルト穴８（図３参照）の内部に固くはまっており、およびゆえに本発明の形状をハート型に変えること、または上部カバーを開けることはできない。
【００１２】
図２および図３は、形状変化後の、本発明によって提供される構造が示される。本発明の構造をハート型構造に変える前に、使用者は指紋識別装置２によって施錠装置４を解除しなければならない。許可された使用者の指紋識別が確認される間、施錠ボルト穴８の中の施錠ボルト６は施錠装置４に後方に撤回される。それから使用者は、第一ピボット１０を左側で構造の一部分を１８０度ひねることができ、およびそれゆえにハート型構造が形成される。その後、形状は第一ほぞ穴１２および第二ほぞ穴１４によって固定される。本発明は、適合する空洞１６のある右基部１８、左基部２０、指紋識別装置２および施錠装置４を有する右上部カバー２２、および構造の一部にピボット接合された左上部カバー２４を含む構造である。右上部カバー２２および左上部カバー２４は、第二ピボット２６および第三ピボット２８をそれぞれ使用することにより、開閉が可能である。上記の左右基部は物体を支持するためのものであり、また本発明の適用範囲内で交換が可能である。
【００１３】
図４〜７は、デジタルメディアプレーヤーを有する構造の、本発明の好適な実施例を示す。図４は形状が変化する前の好適な実施例を示す。図に示されるように、中央は非権限者の使用を阻止するための指紋識別装置３０になっている。他の接合面部分は内部スピーカー３２、オーディオ出力ポート３４、データ送信ポート３６、再充電ポート３８、電源スイッチ４０、および右基部の外部ケーシングに位置するコントロールパネル４２を含む。コントロールパネル４２のファンクションキーは、再生／ポーズボタン、早送り／巻き戻しボタン、および音量調節ボタンを含む。構造の左側は配線用に回転が可能であるため、主部分および接合面部分は構造の右部分に設置または配備される。図の上記の説明は例証のためであり、本発明を制限するためのものではない。
【００１４】
図５は形状変化後の好適な実施例を示す。構造をハート型構造に変える前に、使用者は電源を入れそして指紋識別装置３０によって施錠装置４４を起動しなければならない。許可された使用者の指紋識別が確認される間、施錠装置４４の中の電気駆動施錠ボルト４６は、施錠ボルト穴４８から施錠装置４４に、後方に撤回される。それから使用者は、第一ピボット５０（図６参照）を左側で構造の一部分を１８０度ひねることができ、およびそれゆえにハート型構造が形成される。その後、形状は第一ほぞ穴５２および第二ほぞ穴５４によって固定される。
【００１５】
図６は形状変化、および右上部カバーが開けられた後の構造を示す。図示されるように、構造は、中にディスプレイモニターが配置された対応する空洞５６を有する右基部５８、左基部６０、指紋識別装置３０、施錠装置４４を有する右上部カバー６２、および構造の一部にボルト接合された左上部カバー６４から構成される。右上部カバー６２および左上部カバー６４は第二ピボット６６および第三ピボット６８によってそれぞれ開閉される。モニター７０は空洞５６の中に埋め込まれ、他の部分および関連電気回路は右基部５８の中に配置される。ディスプレイ７０は低電力消費の光ディスプレイで、液晶ディスプレイ（ＬＥＤ）、有機発光ダイオードディスプレイ（ＯＬＥＤ）、または電界放出ディスプレイ（ＦＥＤ）などが可能である。
【００１６】
図７は上記の好適な実施例の略図である。処理装置７２、記憶装置７４、デコーダー７６、デジタルアナログ変換機（ＤＡＣ）７８、および再充電式バッテリー８０を含む、右基部５８の内部部分（パーツ）を示す。図４も同様に、データ送信ポート３６、コントロールパネル４２、ディスプレイ７０、指紋識別装置３０、施錠装置４４、および内部スピーカー３２を含む、内部部分に接続する外部部分を示す。
【００１７】
図７に示すとおり、処理装置７２は本発明の中心部分である。接続される周辺機器は、再充電式バッテリー８０、記憶装置７４、およびデータ送信ポート３６、コントロールパネル４２、ディスプレイ７０、指紋識別装置３０、施錠装置４４、およびデコーダー７６を含む。デコーダー７６は、イメージファイルおよびオーディオファイルを一般的に知られるフォーマット、例としてイメージファイルフォーマットはＧＩＦまたはＪＰＥＧで、オーディオファイルフォーマットはＷＡＶまたはＭＰ３で処理することが可能である。デコーダー７６はさらに、内部スピーカー３２またはオーディオ出力ポート３４に音を送信するために、デジタルアナログ変換機（ＤＡＣ）７８に連結される。前記オーディオ出力ポート３４によって、本発明は、ウォークマンとして機能するためイヤホンに、またはよりよい音響を生成するためスピーカーまたはサウンドシステムに、接続される。
【００１８】
さらに、データ送信ポート３６は、写真、音楽、および他のフォーマットのデジタルファイルを本発明に送信するために他のデジタル装置に接続することが可能で、およびその後、データは記憶装置７４に保存される。記憶装置７４はフラッシュメモリまたはマイクロドライブであることが可能である。本発明の主要機能はコントロールパネル４２によって制御される。コントロールパネル４２、処理装置７２、およびディスプレイ７０の連携によって、使用者は音楽、写真、あるいは装置がディスプレイ・インターフェースで起動（オルゴールとして機能）される間のサウンドエフェクトを選択することができる。音楽は内部スピーカー３２、イヤホン、またはオーディオ出力ポート３４に接続されたスピーカーを通して再生され、画像はディスプレイ７０に表示される。再充電式バッテリー８０は電力を必要とするすべての部分に電力エネルギーを提供し、再充電ポート３８は電力を提供および供給するためのものである。
【００１９】
前述の本発明の好適な実施例は、同業者に理解されるものとして、本発明を制限するのではなく例証するものである。本発明の範囲は、付属の特許請求の範囲およびその同等のものによって解釈されるべきである。本発明の精神に従って同業者による様々な変更および修正がなされることは理解され、および、したがって付随の特許請求の範囲内であるものとする。
【図面の簡単な説明】
【００２０】
本発明は、好適な実施例、説明および図面により理解されることが可能であるが、本発明の好適な実施例は例証のためであり、および本発明の範囲を制限するものでないことが同業者によって理解されるべきである。
【００２１】
【図１】形状変化前の本発明の構造を示した図である。
【図２】形状変化後の本発明の構造を示した図である。
【図３】形状が変化しおよび開けられた後の、本発明の構造を示した図である。
【図４】形状変化前の本発明の好適な実施例を示した図である。
【図５】形状変化後の本発明の好適な実施例を示した図である。
【図６】形状が変化しおよび開けられた後の、本発明の好適な実施例を示した図である。
【図７】本発明の好適な実施例の内部部分を示したブロック図である。
【符号の説明】
【００２２】
２指紋識別装置
４施錠装置
６施錠ボルト
８施錠ボルト穴
１０第一ピボット
１２第一ほぞ穴
１４第二ほぞ穴
１６空洞
１８右基部
２０左基部
２２右上部カバー
２４左上部カバー
２６第二ピボット
２８第三ピボット
３０指紋識別装置
３２内部スピーカー
３４オーディオ出力ポート
３６データ送信ポート
３８再充電ポート
４０電力スイッチ
４２コントロールパネル
４４施錠装置
４６施錠ボルト
４８施錠ボルト穴
５０第一ピボット
５２第一ほぞ穴
５４第二ほぞ穴
５６空洞
５８右基部
６０左基部
６２右上部カバー
６４左上部カバー
６６第二ピボット
６８第三ピボット
７０ディスプレイ
７２処理装置
７４記憶装置
７６デコーダー
７８デジタルアナログ変換機（ＤＡＣ）
８０再充電式バッテリー
【図１】
2009239248.tif 000003
【図２】
2009239248.tif 000004
【図３】
2009239248.tif 000005
【図４】
2009239248.tif 000006
【図５】
2009239248.tif 000007
【図６】
2009239248.tif 000008
【図７】
2009239248.tif 000009